(57)【要約】      （修正有）【課題】ストリップ分割をすると同時に、エッジにエンボス処理をすることができ、無塵布を洗浄しても、フラッシュが発生せず、対象物を清潔するときに対象物に傷を付けず、無塵布のエッジからのホコリの発生を完全に防止することができる無塵布を提供する。【解決手段】経方向に沿うエッジに、超音波の振動による熱エネルギーによって形成されたエンボス部を有する。緯方向に沿うエッジにもエンボス部が形成される。【選択図】図２
0003160524.tif 000002
【実用新案登録請求の範囲】
【請求項１】
経方向に沿うエッジにはエンボス部が形成され、前記エンボス部が超音波の振動による熱エネルギーによって形成されることを特徴とする無塵布。
【請求項２】
緯方向に沿うエッジにはエンボス部が形成され、前記エンボス部が超音波の振動による熱エネルギーによって形成されることを特徴とする、請求項１に記載の無塵布。
【考案の詳細な説明】
【技術分野】
【０００１】
本考案は、無塵布に関し、特に、ストリップ分割をすると同時に、エッジにエンボス処理をすることができる無塵布に関するものである。
【背景技術】
【０００２】
クリーンルーム（clean room）は、一定空間内の微細粒子の個数が制御される密封な建築物であり、そして温度、湿度、気流運動パターン、振動および騒音なども厳密に制御され、半導体産業、医学産業、バイオ産業や食品産業などに適用され、特に、国民の健康を守るために、クリーンルームの利用がどんどん広汎になっている。
【０００３】
クリーンルームにおいて、品物などの表面の汚れを清潔するために、無塵布が利用され、半導体産業、光電産業や電子産業などのハイテク産業の製造プロセスに広汎に利用される無塵布は、強力の清潔力を有し、ホコリが発生せず、エッジにはフラッシュが発生せず、ホコリを吸引する能力を有し、柔軟であり、対象物を清潔するときに対象物に傷を付けずなどの特性が要求される。このような無塵布は、まず、ストリップ分割機に設けられて、ストリップ分割機の内部に設けられたヒータによる熱エネルギーにより複数のより狭い巻きに分割され、しかし、ストリップ分割機の内部に設けられたヒータによる温度が４００℃だけであり、エッジに0.05mmだけの幅を溶融し、又はエンボス処理を施しても、無塵布のエッジからのホコリの発生を完全に防止することができず、洗浄されているときにフラッシュが発生され、また、無塵布の緯方向に沿うエッジの無塵化処理よりも、無塵布の経方向に沿うエッジの無塵化処理が困難であるため、無塵布は、緯方向に沿うエッジだけを無塵化処理し、完全に無塵化することができない。
【考案の概要】
【考案が解決しようとする課題】
【０００４】
しかしながら、これは次のような欠点があった。
（１）無塵布のエッジに封止処理が施されたが、封止処理は、一側に０．０５ｃｍだけの封止処理を実施し、又は２本のエンボス封止処理を横切り、そうすると、布のエッジを封止する効果が不十分であり、布からのホコリが発生し、そして洗濯機によって無塵布を洗濯するときには、無塵布のエッジにバリが発生する。
【０００５】
（２）従来の無塵布は、布の緯方向に沿って、エッジ封止処理し、又はエンボスによる封止処理を施すことだけが可能であり、そうすると、このような無塵布を完全に無塵化にすることができない。
【０００６】
本考案の主な目的は、ストリップ分割をすると同時に、布の経方向に沿うエッジにエンボスによる封止処理を施すことができ、この後、製品の必要によって、布の緯方向に沿って、エッジ封止処理し、又はエンボスによる封止処理を施すことができ、更に、製品の必要によってエンボスの幅を変更することができ、そうすると、無塵布のエッジからのホコリの発生を完全に防止することができる無塵布を提供することにある。
【課題を解決するための手段】
【０００７】
本考案の請求項１に記載の無塵布によると、経方向に沿うエッジにはエンボス部が形成され、前記エンボス部が超音波の振動による熱エネルギーによって形成される。
【０００８】
本考案の請求項２に記載の無塵布によると、緯方向に沿うエッジにはエンボス部が形成され、前記エンボス部が超音波の振動による熱エネルギーによって形成される。
【考案の効果】
【０００９】
本考案の無塵布によれば、次のような効果がある。
（１）無塵布の経方向に沿って分割すると同時に、エッジをエンボスによる封止処理を施すことができ、次に、製品の必要によって、布の緯方向に沿って、エッジ封止処理し、又はエンボスによる封止処理を施すことができ、更に、製品の必要によってエンボスの幅を変更することができ、そうすると、無塵布のエッジからのホコリの発生を完全に防止することができる。
【００１０】
（２）無塵布のエッジ封止処理された経方向および緯方向にあるエッジは、無塵布が洗浄されても、バリなどが発生せず、無塵布によって対象物を清潔するときには、無塵布が対象物に傷を付けない。
【図面の簡単な説明】
【００１１】
【図１】本考案の布の斜視図である。
【図２】本考案の布の斜視図である。
【図３】本考案の布の第１実施形態の模式図である。
【図４】本考案の布の第２実施形態の模式図である。
【図５】本考案の布の第３実施形態の模式図である。
【図６】本考案の布の第４実施形態の模式図である。
【考案を実施するための形態】
【００１２】
以下、本考案の実施の形態を図面に基づいて説明する。
【実施例１】
【００１３】
まず、図１及び図２を参照する。本考案の無塵布は、超音波エンボス経方向ストリップ分割機に布１を掛けて、超音波の振動（２万回/秒）による熱エネルギー（1000℃以上にも達し）によって、布１の経方向に沿って布１を溶断すると同時に、溶断によるエッジをエンボス処理すると、エッジがエンボス処理された布２が作り出される。作製プロセスにおいて、前記布２の経方向に沿う両側のエッジにエンボス部２１がそれぞれ形成され、そうすると、このような布２を洗浄しても、バリなどが発生せず、布２によって対象物を清潔するときに対象物に傷を付けない効果を有する。また、必要によって、ストリップ分割するために無塵布を溶断するだけ、溶断によるエッジをエンボス処理しなくてもよく、そして布１の材質には特別に限定されなく、すなわち、長繊維製の無塵布にも、スーパーファイン繊維製の無塵布にも適用可能であり、且つどのような寸法の無塵布であっても、エンボスによる封止処理をすると共に、無塵布を経方向に沿って分割するができ、そして経方向に沿って分割する無塵布の幅は、製品の必要によって自由に変更することができる。
【００１４】
次に、図２及び図３を参照する。四つのエッジをエンボス処理する場合には、経方向に沿うエッジがエンボス処理された布２を超音波切断機にセットして、超音波の振動による熱エネルギーによって布２を溶断すると同時に、溶断によるエッジをエンボス処理すると、布３が作り出される。布３の四つのエッジにはエンボス部３１が形成されたので、このような布３を洗浄しても、バリなどが発生せず、布３によって対象物を清潔するときに対象物に傷を付けない効果を有する。
【実施例２】
【００１５】
図４を参照する。図４は本考案の布４の第２実施形態の模式図である。本実施形態と第１実施形態の相違する点は、布４は、経方向に沿って溶断されるだけ、溶断によるエッジがエンボス処理されず、そして緯方向に沿って溶断されると同時に、溶断によるエッジがエンボス処理され、そうすると、緯方向に沿うエッジだけにエンボス部４１が形成される。
【実施例３】
【００１６】
図５を参照する。図５は本考案の布５の第３実施形態の模式図である。本実施形態の布５は、経方向に沿って溶断されると同時に、溶断によるエッジがエンボス処理され、そして緯方向に沿って溶断されるだけ、溶断によるエッジがエンボス処理されず、そうすると、経方向に沿うエッジだけにエンボス部５１が形成される。
【実施例４】
【００１７】
図６を参照する。図６は本考案の布６の第４実施形態の模式図である。本実施形態の布６は、経方向に沿って溶断されるだけ、溶断によるエッジがエンボス処理されず、そして緯方向に沿って溶断されるだけ、溶断によるエッジがエンボス処理されず、そうすると、経方向と緯方向とに沿うエッジにはエンボス部が形成されない。
【００１８】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【符号の説明】
【００１９】
１：布、２：布、３：布、４：布、５：布、６：布、２１：エンボス部、３１：エンボス部、４１：エンボス部、５１：エンボス部。
【産業上の利用可能性】
【００２０】
本考案は、無塵布に適用することができる。
【図１】
0003160524.tif 000003
【図２】
0003160524.tif 000004
【図３】
0003160524.tif 000005
【図４】
0003160524.tif 000006
【図５】
0003160524.tif 000007
【図６】
0003160524.tif 000008
【手続補正書】
【提出日】平成22年4月16日(2010.4.16)
【手続補正１】
【補正対象書類名】実用新案登録請求の範囲
【補正対象項目名】全文
【補正方法】変更
【補正の内容】
【実用新案登録請求の範囲】
【請求項１】
経方向に沿うエッジに、超音波の振動による熱エネルギーによって形成されたエンボス部を有することを特徴とする無塵布。
【請求項２】
緯方向に沿うエッジに、超音波の振動による熱エネルギーによって形成されたエンボス部を有することを特徴とする、請求項１に記載の無塵布。
【手続補正２】
【補正対象書類名】明細書
【補正対象項目名】０００５
【補正方法】変更
【補正の内容】
【０００５】
本考案の請求項１に記載の無塵布によると、経方向に沿うエッジに、超音波の振動による熱エネルギーによって形成されたエンボス部を有することを特徴とする。
【手続補正３】
【補正対象書類名】明細書
【補正対象項目名】０００６
【補正方法】変更
【補正の内容】
【０００６】
本考案の請求項２に記載の無塵布によると、前記無塵布において緯方向に沿うエッジに、超音波の振動による熱エネルギーによって形成されたエンボス部を有することを特徴とする。